(57)【要約】【課題】  ネジ止め式イヤリングやクリップ式のイヤリングを長時間使用することで、着用部分が痛くなり、長時間の使用に苦痛を伴う使用者がいる事から、長時間着用しても痛くならないイヤリングを提供する事と、イヤリングを落下してしまう事を防止できるイヤリングを提供すること。【解決手段】  本発明は、イヤリングの着用に伴う痛みを和らげるためイヤリング本体１の対面する内側面の間隔が、差込用開口部方向に向かって徐々に狭くなる形状とし、本体に沿ってスライドが容易になるよう組合わせた止め具を差込用開口部方向へ任意にスライドさせ、止め具と本体で耳たぶを挟む事により生じる摩擦力で、止め具が楔の効果を果たし、耳たぶへの負担を軽減した、長時間着用できるイヤリングを提供することが出来る。【選択図】図１
2014138689.tif 000002
【特許請求の範囲】
【請求項１】
棒状部材本体の一端側Ａ部と他端側Ｂ部とを対向するように折り曲げ、耳たぶの差込用開口部を形成し、且つ前記他端側Ｂ部の先端に抜け防止部を配設するとともに、前記対向する一端側Ａ部と他端側Ｂ部の内側面の間隔が差込用開口部方向へ、徐々に狭くなる形状とし、他端側Ｂ部に、該止め具をスライド容易に組み合わせ、止め具を指先で操作する事で、耳たぶへの付け外しが簡単に行え、且つ止め具の楔効果で耳たぶへ固定される事を特徴とした楔式イヤリング。
【請求項２】
前記、止め具の耳たぶと接触する部分にローラーを回転容易に組合せ、ローラーで耳たぶを押さえる構造とする事を特徴とする請求項１の楔式イヤリング。
【請求項３】
本体にバネ止めを設けると共に、本体に該バネ止めに当接して付勢部材を組入れ、付勢する力で止め具が開口部方向へ押し上げられる構造とした事を特徴とする請求項１の楔式イヤリング。
【請求項４】
本体の他端部側Ｂ部内周側の一部に係合凹部を設けるとともに、止め具の内側面に係合凸部を設け、本体の該係合凹部と止め具の該係合凸部が係合する構造とした事を特徴とする請求項１の楔式イヤリング。
【発明の詳細な説明】
【技術分野】
【０００１】  本発明は、楔式イヤリングに関するものである。
【背景技術】
【０００２】  現在実用として使用されているイヤリングとしてはネジ（スクリュー）で止めるネジ式やバネの力で耳たぶを挟んで止めるクリップ式などがあり実用上十分であった。【０００３】  しかし、実用に供されているイヤリングは、付け外しが簡単でなかったり、長時間着用することにより、着用部分に痛みを伴うという欠点や、この痛みを和らげるため、バネの力を弱め、ネジの締め付けを緩めて使用する事で、イヤリングが落下する等の欠点があった。
【先行技術文献】
【特許文献】
【０００４】
【特許文献１】特開２００４−７３７０２号公報
【発明の概要】
【発明が解決しようとする課題】
【０００５】  解決しようとする問題点は、付け外しが簡単で外れにくいイヤリングを提供することと、ネジ止め式イヤリングやクリップ式のイヤリングを長時間着用する事による痛みを和らげるイヤリングを提供することである。
【課題を解決するための手段】
【０００６】  本発明は、イヤリングの長時間の着用に伴う痛みを和らげると共に、付け外しが簡単で、外れにくいイヤリングを提供する為に、イヤリング本体の対面する内側面の距離が、差込開口部方向に向かって徐々に狭くなる形状とし、本体Ｂ部に沿ってスライドが容易になるよう組合わせた止め具を差込用開口部方向へ任意にスライドさせ、本体内側に差し込んだ耳たぶを止め具と本体Ａ部内側面で挟む事で摩擦力により止め具が楔の効果を果たし、イヤリングを着用出来る構造とした。【０００７】  又、止め具の耳たぶとの接触部分にローラーを回転容易に組み合わせ、イヤリングを着用した時に本体内側面と耳たぶとローラーがそれぞれ接触する構造とした。【０００８】  又、止め具が緩み、イヤリングが外れ紛失することを防止するため、本体にバネ止めを設け止め具とバネ止の間に付勢部材としてバネ等を組み入れ付勢力で止め具を本体差込用開口部方向へ押す構造とした。【０００９】  又、他端側Ｂ部に係合凹部分と止め具に係合凸部を設け、耳たぶにイヤリングを着けた時の耳たぶからの反発力により、止め具の係合凸部が他端側Ｂ部の係合凹部に係合する構造とした。
【発明の効果】
【００１０】  本発明のイヤリングは、部品の数も少なく簡単な形状である事から、製作が容易であり破損をしにくいという効果がある。【００１１】  又、本発明の楔式イヤリングは、止め具をスライドする事で付け外しが簡単に出来る事と、止め具の楔効果と摩擦力で止める為、外れにくく、長時間着用できるという効果がある。【００１２】  又、本発明の楔式イヤリングを着用している時、イヤリングに外れる方向への力が作用するとイヤリングの構造により、止め具のローラーが差込用開口部方向へ転動して楔としての効果がより強く働く為、イヤリングが外れにくいという効果がある。【００１３】  又、本発明の楔式イヤリングの止め具を差込用開口部方向へ押さえる付勢部材を他端側Ｂ部に組み込む事で止め具がゆるみ、楔式イヤリングが外れる事を防止出来るという効果がある。【００１４】  又、本体の他端部側Ｂ部内周側の一部に係合凹部を設けるとともに、止め具の内側面に係合凸部を設け、本体の該係合凹部と止め具の該係合凸部が係合する構造とした事で楔式イヤリングが外れる事を防止出来るという効果がある。
【図面の簡単な説明】
【００１５】
【図１】図１は楔式イヤリングの全体の構造を示す説明図である。（実施例１）
【図２】図２は止め具Ａの構造を示す説明図である。
【図３】図３は図１実施例にバネ止めとバネを組み込んだ全体の構造を示す説明図である。（実施例２）
【図４】図４は本体Ｂ部内側に複数の凹部と止め具Ｂに凸部を配置して組み合わせた時の構造を示す説明図である。（実施例３）
【図５】図５は凸部を配設した止め具Ｂの断面説明図である。
【発明を実施するための形態】
【００１６】  本発明イヤリングの本体１と止め具Ａ７及び止め具Ｂ１３の素材は、貴金属・金属・強化プラスチック等形状が外部の力の作用により容易に変形しない物が好適であるが、限定される物ではない。又、ローラー９についてもゴムやシリコン等の摩擦力の強い素材が好適であるが、用途に応じた素材であれば金属やプラスチック等でも良く、又、形状も球状や多角形などでも良い。バネ１０についても、金属などが好適であるが、止め具Ａ及び止め具Ｂを差込用開口部方向へ押し付ける事の出来る素材や形状であれば良い。
【００１７】  本発明イヤリングの仕様形態は、本体内側に耳たぶを差込み、スライド容易に本体Ｂ部５に組合された止め具を指先で、差込用開口部３方向へスライドさせ、本体Ａ部２の内側面と止め具で耳たぶを押圧して装着する形態である。
【００１８】  又、本発明イヤリングは、本体１と止め具Ａ７により構成され、使用方法は耳たぶを差込用開口部３に差し込んで、スライド容易に本体Ｂ部５に組合された止め具Ａ７を差込用開口部３方向へ指先でスライドさせ、本体Ａ部２の内側面と止め具Ａ７に回転容易に組み合わされたローラー９で耳たぶを押圧して装着出来る形態である。
【００１９】  又、本体１にバネ止め１１を配置し、バネ１０を止め具Ａ７との間に組み合わせた構造とし、使用方法は止め具Ａ７を差込用開口部３の反対方向へ指先でスライドさせ、耳たぶを差込み、指先を止め具Ａ７より外すと、バネ１０により止め具Ａ７は差込用開口部３方向へ押し上げられ、イヤリングの装着が出来る形態である。
【００２０】  又、本体Ｂ部５に係合凹部１２を配設した本体１と、係合凸部を配設した止め具Ｂ１３により構成され、使用方法は耳たぶを差込用開口部３に差し込んで、スライド容易に本体Ｂ部５に組み合わされた、止め具Ｂ１３を差込用開口部３方向へ指先でスライドさせ、本体Ａ部２の内側面と止め具Ｂ１３により挟まれた耳たぶの反発力により、止め具Ｂ１３の係合凸部１４が本体Ｂ部５の係合凹部１２に係合する事で、イヤリングの装着が出来る形態である。
【実施例１】
【００２１】  図１、図３、図４はそれぞれ本発明の実施例１、２、３の斜視図であり、図２と図５は止め具Ａ７、止め具Ｂ１３の説明図である。【００２２】  図１の実施例１は本体１と止め具Ａ７により構成され、本体１は対面する内側面の間隔が差込用開口部３方向へ向かって、徐々に狭くなっていく形状を特徴としており、止め具Ａ７を組合わせる本体Ｂ部５の先端は止め具Ａ７が抜け防止部４によって抜け落ちない構造である。又、止め具Ａ７は、本体Ｂ部５に沿ってスライド容易に、組合わされ、止め具Ａ７の操作部６を指先で操作し、止め具Ａ７を任意にスライドさせる事で、本発明イヤリングの着け外しが簡単に行える構造となっており、止め具Ａ７の耳たぶと接触する部分を回転容易なローラー９にする事で、摩擦力と楔効果をより発揮できる構造であり、ローラー９は止め具Ａ７に軸８で組み合わされた構造となっている。【００２３】  図３の実施例２は、実施例１の本体１にバネ止め１１を設け、止め具Ａ７とバネ止め１１の間にバネ１０を組み込んでおり、バネの力で止め具Ａ７を差込み用開口部３方向へ押し付ける構造となっており、装着中に止め具Ａ７がゆるみ、本発明イヤリングが外れるのを防止する構造である。【００２４】  図４の実施例３は、実施例１の本体１の本体Ｂ部５の内側面に数本の凹部１２を設け、本発明イヤリングを装着した時に、耳たぶからの反発力により止め具Ｂ１３の係合凸部１４が本体Ｂ部５の係合凹部１２に係合する構造とする事で、本発明イヤリングが外れるのを防止する構造である。
【産業上の利用可能性】
【００２５】  本発明イヤリングは長時間着用しても、耳たぶが痛くなりずらい事から、イヤリングをする事が苦手な人でも使用できると思われる。又、素材にアレルギー等を誘発しない素材を使用する事で、より多くの人に利用できるイヤリングになると思われ、アクセサリーとしての利用が出来る。
【符号の説明】
【００２６】  １    本体
２    本体Ａ部
３    差込用開口部
４    抜け防止部
５    本体Ｂ部
６    操作部
７    止め具Ａ
８    軸
９    ローラー
１０    バネ
１１    バネ止
１２    係合凹部
１３    止め具Ｂ
１４    係合凸部
【図１】
2014138689.tif 000003
【図２】
2014138689.tif 000004
【図３】
2014138689.tif 000005
【図４】
2014138689.tif 000006
【図５】
2014138689.tif 000007